(57)【特許請求の範囲】
【請求項１】
台部を有する第１部材と、
第２部材と、
を含むはさみの制御装置であって、
このうち、該第２部材の一端が延伸して第１組合せ部が形成され、このうち、該第１部材に刃がピン接合され、該刃の一端が延伸して葉部が形成され、該葉部が貫通孔および貫通した開口を有し、さらに一端が延伸して留め具が形成され、このうち該葉部が該台部を通り、該第１部材の一端にピン接合され、前記第２部材に、第１の壁および第２の壁が互いに対応して収容空間が形成され、該第１の壁および該第２の壁に互いに対応してピン孔が設けられ、該第１の壁および該第２の壁がいずれも第１突点および第２突点を有し、該収容空間に制御装置が挿入されて、該制御装置が該第２部材に枢着され、
さらに、連接棒の一端が該第２部材に枢着され、もう一端が軸棒により該刃の開口に枢着され、これにより該連接棒の枢着された端部が、該開口において、制限された距離を移動することができ、
該第１部材および第２部材を相互にピン接合することにより、第１部材および第２部材を操作して裁断動作を行い、さらに該刃および該台部の開成または閉成動作を操作するはさみの制御装置であって、
該制御装置が、
ピン孔を有して、該第２部材に枢着されるピン接合部であって、延伸して把持部が形成され、該把持部の中間に平台を有し、該平台にくぼみが設けられるピン接合部と、
接合部を有する金属材料体であり、その形状が該くぼみの形状と一致する支持体であって、該接合部が延伸して背部が形成され、該背部の一端が延伸してフック部が形成され、該背部の水平表面が該平台の水平表面と一致し、該フック部が該平台の外に突出し、該接合部が該くぼみに挿入されて該ピン孔と対応した後、さらに該第２部材に枢着される支持体と、を含み、
さらに、前記ピン接合部が該収容空間に挿入されると、そのピン孔が該第１の壁および該第２の壁のピン孔と対応し、軸棒により該第１の壁および該第２の壁に枢着され、該収容空間部分において、制限された位置で軸回転を行うことができ、
これにより、該把持部を押し動かして、該制御装置に振り子式の操作を行わせることができ、第１部材および第２部材の閉成状態のロックを制御する目的を達成し、さらに第１部材および第２部材が数回に分けて裁断することを制御する目的を達成することを特徴とする、はさみの制御装置。
【請求項２】
第１部材および第２部材を相互にピン接合し、相対して前記第１部材および第２部材を操作することにより、裁断動作を行うはさみの制御装置であって、
該第２部材の一端が延伸して収容空間が形成され、このうち該収容空間に制御装置が挿入され、
該制御装置が、
ピン孔を有して、該第２部材に枢着されるピン接合部であって、これが延伸して、対応して配置される把持部が形成され、該把持部の中間に平台を有し、該平台にくぼみが設けられるピン接合部と、
接合部を有する金属材料体であり、これが該くぼみに挿入されて、ピン孔と対応した後、さらに該第２部材に枢着される支持体であって、該接合部が延伸して背部が形成され、該背部の一端が延伸してフック部が形成され、このうち該接合部の形状が該くぼみの形状と一致し、挿入してピン接合されると、該背部の水平表面が該平台の水平表面と一致し、該フック部が該平台の外に突出する支持体と、を含み、
前記ピン接合部が該収容空間に挿入され、軸棒により枢着されて、前記制御装置を枢動させ、振り子式の操作を行わせることができ、第１部材および第２部材の閉成状態のロックを制御する目的を達成し、さらに第１部材および第２部材が数回に分けて裁断することを制御する目的を達成することを特徴とする、はさみの制御装置。
【請求項３】
該把持部が第１把持部と、対応する第２把持部とを含む、請求項２に記載のはさみの制御装置。
【請求項４】
第１部材および第２部材をピン接合してなり、相対して前記第１部材および第２部材を操作することにより、裁断動作を行うはさみの制御装置であって、
該第１部材が台部を有し、該第２部材の一端が延伸して第１組合せ部が形成され、該第１部材に刃がピン接合され、該刃の一端が延伸して葉部が形成され、該葉部が貫通孔および貫通した開口を有し、さらに一端が延伸して留め具が形成され、このうち該葉部が該台部を通って該第１部材の一端にピン接合され、前記第２部材が第１組合せ部を有し、延伸して収容空間が形成され、該第１組合せ部にピン孔が設けられ、このうち該収容空間に制御装置が挿入され、
さらに連接棒の一端が該第２部材に枢着され、もう一端が軸棒により該刃の開口に枢着され、これにより、該連接棒の枢着された端部が、該開口において、制限された距離を移動することができる、はさみの制御装置であって、
該制御装置が、
ピン孔を有し、該第２部材の柄部に枢着されるピン接合部であって、これが延伸して第１把持部および第２把持部が形成され、前記第１把持部および第２把持部の間が平台であり、該平台にくぼみが設けられるピン接合部と、
接合部を有する金属材料体であり、該接合部が延伸して背部が形成され、該背部の一端が延伸してフック部が形成され、このうち該接合部の形状が該くぼみの形状と一致し、挿入してピン接合されると、該背部の水平表面が該平台の水平表面と一致し、該フック部が該平台の外に突出する支持体と、を含み、
さらに、前記ピン接合部が該収容空間に挿入されると、そのピン孔が該収容空間を形成する第１の壁および第２の壁のピン孔と対応し、軸棒により該第１の壁および該第２の壁に枢着され、これにより該第１把持部および第２把持部を押し動かして、該制御装置に振り子式の操作を行わせることができ、第１部材および第２部材の閉成状態のロックを制御する目的を達成し、さらに第１部材および第２部材が数回に分けて裁断することを制御する目的を達成することを特徴とする、はさみの制御装置。
【請求項５】
該把持部が第１把持部と、対応する第２把持部とを含む、請求項１に記載のはさみの制御装置。
【発明の詳細な説明】
【技術分野】
【０００１】
本発明は、草花や木の枝の剪定に用い、徐々に数回に分けた裁断、閉成を制御することができ、なおかつ使用しないとき、はさみの刃を収めることができる制御装置を指す。
【背景技術】
【０００２】
一般に、植物の枝は太いものも細いものもある。例えば木の枝、茎は比較的太くて硬いことが多く、木の枝を剪定する園芸用はさみは、刃が充分な鋭利度を有する必要がある。使用者が操作時に力を省けるようにするため、ある業者は数回に分けて裁断する方式のはさみ構造を設計しており、裁断方式を制御することができるはさみ構造もある。例えば、台湾実用新案第４２０９８１号明細書は、裁断方式を切り換えることができる園芸用はさみであり、園芸用はさみを木の枝ばかり裁断する裁断方式に切り換えることができる。これは使用者に握る力を提供する、相互にピン接合された第１ハンドルおよび第２ハンドルと、第１ハンドルの前端にピボット設置され、第１ハンドルの前端の刃収容片と対応して切り口を形成する刃ユニットと、第２ハンドルにピボット設置され、その一端は刃ユニットの後端に可動式に組み立てられ、刃ユニットを押し動かして裁断を行う駆動連接棒と、第２ハンドルに設置され、直線可動構造により、直線的に前進させて刃ユニットに当接させることができ、反対方向に直線的に後退させて刃ユニットから離すこともできる切換要素と、第２ハンドルに可動設置され、該園芸用はさみを閉成するとき、該刃ユニットの作動片を留める安全留め具と、を含む。
【０００３】
上記特許の要素において、切換要素は裁断方式を制御し、もう１つの安全留め具は刃ユニットの作動片を閉成する。前記切換要素および安全留め具は別々の要素であり、第２ハンドルに別々に設置される。このうち該切換要素は、付勢により水平、前後に移動し、該安全留め具は振り子式に作動する。
【０００４】
したがって、使用者がはさみの方式またははさみの閉成を制御するのに、２つの要素を操作しなければならず、このようにすると操作の面で不便である。このような構造により、メーカでは組立の人件費および要素のコストが増加している。
【先行技術文献】
【特許文献】
【０００５】
【特許文献１】台湾実用新案第４２０９８１号明細書
【発明の概要】
【発明が解決しようとする課題】
【０００６】
本発明の庭園の剪定に応用されるはさみは、主に製造コストを低下させるように開発され、さらに活用面が広く、便利な設計案を提供し、制御装置を使用した設計により、はさみの裁断方式を変更する。さらに該制御装置はロック機能も有し、裁断操作をロックする１対のつまみを提供する。
【課題を解決するための手段】
【０００７】
本発明ははさみの制御装置を提供しており、該装置は操作を行う２つの第１部材および第２部材を含む。該第１部材の一端が延伸して台部が形成され、該第１部材の一端に刃がピン接合される。このうち該刃の一端が延伸して葉部が形成され、該葉部は貫通した開口を有し、さらに一端が延伸して留め具が形成される。さらに、該第１部材および該第２部材の相互にピン接合され、相互に重ね合わされる関係部材により、前記刃および台部が相対し、前記第１部材および第２部材を操作することにより、裁断動作を行う。
【０００８】
前記第２部材は第１組合せ部を有し、第１の壁および第２の壁が相互に対応して収容空間が形成され、該第１の壁および該第２の壁のいずれにも、定位機能の第１突点および第２突点が設けられる。その特徴は、該収容空間に制御装置が挿入され、該制御装置が該第１の壁および該第２の壁に枢着されることである。ピン接合部を含む構成部材については、該ピン接合部から延伸して、対応して配置される第１把持部および第２把持部が形成され、前記第１把持部および第２把持部の間は平台であり、このうち該平台にくぼみが設けられる。
【０００９】
さらに、支持体は接合部を有する金属材質であり、該接合部が延伸して背部が形成され、該背部の一端が延伸してフック部が形成される。このうち該接合部の形状は該くぼみの形状と一致し、挿入されると、該背部の水平表面は該平台の水平表面と一致し、該フック部は該平台の外に突出する。さらに、前記ピン接合部が凹部に挿入されると、該ピン接合部のピン孔は該第１の壁および該第２の壁のピン孔に対応する。これにより、該制御装置は該第２部材にピン接合され、該第１把持部および該第２把持部を押し動かして、該第１の壁および該第２の壁で振り子式の操作を行うことができる。
【００１０】
このうち、該第１把持部および該第２把持部を第１突点まで押し動かすと、該刃の留め具が支持体の背部に達し、はさみは一度で裁断する裁断方式になる。該第１把持部および該第２把持部を該第２突点まで押し動かすと、該刃の留め具は支持体の背部まで届かず、はさみは数回に分けて裁断する方式になる。
【００１１】
続いて、該第１部材および該第２部材を互いに相対させ、内側に移動させると、該刃および該台部は閉じる。さらに該第１把持部および該第２把持部を、該第１突点と該第２突点との間の位置に押し動かすと、該フック部が該刃の留め具に係着し、該制御装置は該刃および該台部の閉成をロックする機能となる。
【図面の簡単な説明】
【００１２】
【図１】図１は、本発明の分解図である。
【図２】図２は、本発明の制御装置の分解図である。
【図３】図３は、本発明の制御装置を組み合わせた断面図である。
【図４】図４は、本発明の組合せ図である。
【図５】図５は、本発明の実施状態図１である。
【図６】図６は、図５の実施状態図２である。
【図７】図７は、図６の実施状態の断面図である。
【図８】図８は、本発明の実施状態図２である。
【図９】図９は、本発明の実施状態図２−１である。
【図１０】図１０は、本発明の実施状態図２−２である。
【発明を実施するための形態】
【実施例】
【００１３】
本発明を充分に理解するため、以下に好ましい実施例を列挙し、さらに図を組み合わせて詳細に説明する。当業者が本発明の記載に基づいて実施することができるように、本発明の好ましい実施例の図を組み合わせて、さらに以下のように説明するが、これは本発明の技術範囲を限定しない。
【００１４】
まず、図１から図３を参照されたい。図１から図３に示すように、はさみの制御装置は、第１部材１および第２部材２を含む。該第１部材１は柄部１１を有し、その一端が延伸して台部１２が形成され、該台部１２は縦方向に溝１２ａを有する。該台部１２と該柄部１１との間の近くに第１ピン接合孔１２１が設けられ、該柄部１１の上方に第２ピン接合孔１１１が設けられる。該第２部材２は柄部２１を有し、該柄部２１の一端が延伸して一対の板体からなる第１組合せ部２３が形成され、このうち該第１組合せ部２３に第３ピン接合孔２３１ａ、２３１ｂおよび第４ピン接合孔２３２ａ、２３２ｂが設けられる。このうち、該第２ピン接合孔１１１は刃３とピン接合され、該刃３の一端が延伸して葉部３２が形成される。該葉部３２は、貫通孔３２１および貫通した開口３２２を有し、さらに一端が延伸して留め具３２３が形成される。該葉部３２が該台部１２の溝１２ａを通ると、その貫通孔３２１は該第２ピン接合孔１１１と対応し、該第２ピン接合孔１１１は軸棒７５によりピン接合される。該第１ピン接合孔１２１は該第３ピン接合孔２３１ａ、２３１ｂと対応し、軸棒７１により枢着される。
【００１５】
前記第２部材２の柄部２１の一端に、第１の壁２２ａおよび第２の壁２２ｂが互いに対応して収容空間２２が形成され、該第１の壁２２ａおよび該第２の壁２２ｂに、互いに対応してピン孔２２３ａ、２２３ｂが設けられる。このうち該第１の壁２２ａおよび該第２の壁２２ｂはいずれも、第１突点２２１および第２突点２２２を有する。該収容空間２２に制御装置５が挿入され、該制御装置５の構成部分は、ピン孔５２１を有するピン接合部５２を含み、該ピン接合部５２が延伸して、対応して配置される第１把持部５１ａおよび第２把持部５１ｂが形成される。前記第１把持部５１ａおよび第２把持部５１ｂの間は平台５３であり、該平台５３にくぼみ５４が設けられる。
【００１６】
さらに、支持体６は接合部６１を有する金属材料体であり、ピン接合孔６１１が設けられる。該接合部６１が延伸して背部６２が形成され、該背部６２の一端から延伸してフック部６３が形成される。該支持体６のピン接合孔６１１は、該ピン接合部５２のピン孔５２１と対応して組み合わさる。このうち該接合部６１の形状は、前記くぼみ５４の形状と一致し、該支持体６を該くぼみ５４に組み合わせて挿入すると、その背部６２の水平表面は該平台５３の水平表面と一致し、該フック部６３は該平台５３の外に突出する。組み合わせた後は図３に示す通りである。
【００１７】
前記ピン接合部５２を該収容空間２２に挿入すると、そのピン孔５２１は該第１の壁２２ａおよび該第２の壁２２ｂのピン孔２２３ａ、２２３ｂと対応する。軸棒７３により該収容空間２２に枢着されることにより、収容空間２２において、制限された位置で軸回転を行う。このうち、該第１把持部５１ａおよび該第２把持部５１ｂは、それぞれ該第１の壁２２ａ、第２の壁２２ｂに当接する。該第１把持部５１ａおよび該第２把持部５１ｂを押し動かすことにより、該制御装置５を振り子式に操作することができる。
【００１８】
さらに、連接棒４は突部４１を有し、その一端に第１孔４２が設けられ、もう一端に第２孔４３が設けられ、該突部４１にバネ８が取り付けられる。このうち、該第１孔４２は該第４ピン接合孔２３２ａ、２３２ｂと対応し、軸棒７２により該第２部材２に枢着される。該第２孔４３は該刃３の開口３２２と対応し、軸棒７３により枢着される。これにより、該連接棒４の該第２孔４３が位置する端部は、該開口３２２において限られた距離を移動することができる。
【００１９】
続いて、図１、図４を参照されたい。図１、図４に示すように、該第１部材１の台部１２の該第１ピン接合孔１２１部分に、該第１組合せ部２３が装着される。該第１ピン接合孔１２１は該第２部材２の第３ピン接合孔２３１ａ、２３１ｂと対応し、軸棒７１が該第３ピン接合孔２３１ａ、第１ピン接合孔１２１、貫通孔３２１、第３ピン接合孔２３１ｂを順番に通り、枢着される。該第１部材１および該第２部材２の相互にピン接合され、相互に重ね合わされる関係部材により、前記刃３および台部１２が相対し、前記第１部材１および第２部材２を操作することにより、裁断動作を行い、該刃３および該台部１２の開成または閉成動作を操作する。図８は開いており、裁断操作を行うことができる状態である。図６は、閉成状態をロックしており、該第１部材１および該第２部材２が制限され、裁断操作を行うことができない。
【００２０】
このうち、実施操作について、図５、図８、図９、図１０を参照されたい。図８、図９、図１０に示すように、該第１把持部５１ａ（第２把持部５１ｂ）を該第１突点２２１まで押し動かすと、該刃３の留め具３２３が支持体６の背部６２に達し、はさみは一度で裁断する裁断方式になる。該第１把持部５１ａ（第２把持部５１ｂ）を該第２突点２２２まで押し動かすと、該刃３の留め具３２３は支持体６の背部６２に達することができず、はさみは数回に分けて裁断する方式になる。さらに、該第１部材１および該第２部材２を互いに相対させ、内側に移動させて合わせると、該刃３および該台部１２が閉成し、それから該第１把持部５１ａ（第２把持部５１ｂ）を、該第２突点２２２から該第１突点２２１の中間位置まで押し動かすと、図７に示すように、該フック部６３が該刃３の留め具３２３に係着し、該制御装置５は該刃３および該台部１２の閉成をロックする機能となる。
【００２１】
本発明の利点は次の通りである。１．該制御装置５の支持体６は金属材質であり、硬く、耐摩耗性を有するため、該刃３の留め具３２３が該支持体６の背部６２に達するとき、たびたびの操作でも消耗することはなく、支持する機能を有する。２．該制御装置５の支持体６はフック部６３を有するため、該制御装置５にロックする機能を持たせる。
【００２２】
上記の記載は本発明の好ましい実施例に過ぎず、本発明の実施範囲を限定しない。本発明の特許請求の範囲に基づいて行う均等な変化および修飾は、いずれも本発明の特許範囲に包含される。
【符号の説明】
【００２３】
１  第１部材
１１  柄部
１１１  第２ピン接合孔
１２  台部
１２ａ  溝
１２１  第１ピン接合孔
２  第２部材
２１  柄部
２２  収容空間
２２ａ  第１の壁
２２ｂ  第２の壁
２２１  第１突点
２２２  第２突点
２２３ａ  ピン孔
２２３ｂ  ピン孔
２３  第１組合せ部
２３１ａ  第３ピン接合孔
２３１ｂ  第３ピン接合孔
２３２ａ  第４ピン接合孔
２３２ｂ  第４ピン接合孔
３  刃
３２  葉部
３２１  貫通孔
３２２  開口
３２３  留め具
４  連接棒
４１  突部
４２  第１孔
４３  第２孔
５  制御装置
５１ａ  第１把持部
５１ｂ  第２把持部
５２  ピン接合部
５２１  ピン孔
５２  平台
５４  くぼみ
６  支持体
６１  接合部
６１１  ピン接合孔
６２  背部
６３  フック部
７１  軸棒
７２  軸棒
７３  軸棒
７４  軸棒
７５  軸棒
８  バネ
【図１】
0006501188.tif 000002
【図２】
0006501188.tif 000003
【図３】
0006501188.tif 000004
【図４】
0006501188.tif 000005
【図５】
0006501188.tif 000006
【図６】
0006501188.tif 000007
【図７】
0006501188.tif 000008
【図８】
0006501188.tif 000009
【図９】
0006501188.tif 000010
【図１０】
0006501188.tif 000011